【手続補正書】
【提出日】平成17年2月8日(2005.2.8)
【手続補正１】
【補正対象書類名】特許請求の範囲
【補正対象項目名】全文
【補正方法】変更
【補正の内容】
【特許請求の範囲】
【請求項１】
デジタルシネマシステムにおいて、プレイリストを作成する方法であって、
少なくとも１つのイメージプログラムと少なくとも１つのオーディオプログラムとを表示するステップであって、各イメージプログラムは、イメージ情報を表す符号化されたデータを含み、各オーディオプログラムは、オーディオ情報を表す符号化されたデータを含む、前記表示するステップと、
特定されたイメージプログラムとオーディオプログラムに応答して、選択されたイメージプログラムと選択されたオーディオプログラムの適合性を確認するステップとを含んでいる、前記方法。
【請求項２】
さらに、前記特定されたオーディオプログラムを、前記特定されたイメージプログラムへ連結して選択されたプログラムを形成するステップを含む、請求項１記載の方法。
【請求項３】
さらに、前記選択されたプログラムを、所定の上映順に順序付けるステップを含む、請求項２記載の方法。
【請求項４】
さらに、キュー、埋め込まれたキュー、ブラックスクリーンからなるグループからの少なくとも１つの挿入物を特定するステップと、
前記選択されたプログラムと前記挿入物を所定の上映順に順序付けるステップを含む、請求項２記載の方法。
【請求項５】
前記オーディオプログラムを選択するステップは、オーディオプログラムのサブセットに限定され、オーディオプログラムの各サブセットは、選択された各イメージプログラムに基づいている、請求項１記載の方法。
【請求項６】
各イメージプログラムは、関連するインジケータを有し、
前記確認するステップは、格付けインジケータ、縦横比インジケータ、走査インジケータ、彩度サンプリングインジケータからなるグループからの少なくとも１つのインジケータを比較するステップと、
不適合の警告指示を表示するステップをさらに含んでいる、請求項２記載の方法。
【請求項７】
さらに、各オーディオプログラムは、関連するインジケータを有し、
前記確認するステップは、言語インジケータ、オーディオフォーマットインジケータ、格付けインジケータからなるグループからの少なくとも１つのインジケータを比較するステップと、
不適合の警告指示を表示するステップをさらに含んでいる、請求項２記載の方法。
【請求項８】
各イメージプログラムは、プロジェクタレンズインジケータを有し、
前記確認するステップは、さらに、
各イメージプログラムのプロジェクタレンズインジケータを比較するステップと、
プロジェクタの不適合の警告指示を表示するステップを含む、請求項２記載の方法。
【請求項９】
デジタルシネマシステムにおいて、プレイリストを作成するように構成された装置であって、
イメージ情報を表す符号化されたデータをそれぞれ含んでいる少なくとも１つのイメージプログラムを表示する手段と、
選択されたイメージプログラムに応答して、オーディオ情報を表す符号化されたデータをそれぞれ含む少なくとも１つのオーディオプログラムを表示する手段と、
選択されたオーディオプログラムに応答して、選択されたイメージプログラムと選択されたオーディオプログラムとの適合性を確認する装置とを具備している、前記装置。
【請求項１０】
前記特定されたオーディオプログラムを、特定されたイメージプログラムへ連結して選択されたプログラムを形成する手段をさらに具備している、請求項９記載の装置。
【請求項１１】
前記選択されたプログラムを、所定の上映順に順序付ける手段をさらに具備している、請求項１０記載の装置。
【請求項１２】
キュー、埋め込まれたキュー、ブラックスクリーンからなるグループからの少なくとも１つの挿入物を特定する手段と、
前記選択されたプログラムと前記挿入物を所定の上映順に順序付ける手段とをさらに具備している、請求項１０記載の装置。
【請求項１３】
各イメージプログラムは、関連するインジケータを有し、
前記確認する手段は、
格付けインジケータ、縦横比インジケータ、走査インジケータ、彩度サンプリングインジケータからなるグループからの少なくとも１つのインジケータを比較する手段と、
不適合の警告指示を表示する手段とをさらに具備している、請求項１０記載の装置。
【請求項１４】
各オーディオプログラムは、関連するインジケータを有し、
前記確認する手段は、
言語インジケータ、オーディオフォーマットインジケータ、格付けインジケータからなるグループからの少なくとも１つのインジケータを比較する手段と、
不適合の警告指示を表示する手段とをさらに具備している、請求項１０記載の装置。
【請求項１５】
各イメージプログラムは、プロジェクタレンズインジケータを有し、
前記確認する手段は、
各イメージプログラムのプロジェクタレンズインジケータを比較する手段と、
プロジェクタの不適合の警告指示を表示する手段をさらに具備している、請求項１０記載の装置。
【請求項１６】
同じイメージプログラムまたは同じオーディオプログラムが一度よりも多く選択される場合には、警告を表示する手段をさらに具備している、請求項１０記載の装置。
【請求項１７】
前記順序付け手段は、前記イメージプログラムに対応するエントリを他の表示されたイメージプログラムに関して異なる位置へ移動する手段をさらに具備している、請求項１１記載の装置。
【請求項１８】
前記選択されたプログラムを、特定の時間に上映されるようにスケジュールする手段をさらに具備している、請求項１０記載の装置。
【請求項１９】
前記選択されたプログラムを、特定の劇場建物で上映されるようにスケジュールする手段をさらに具備している、請求項１０記載の装置。
【請求項２０】
デジタルシネマシステムにおける、劇場管理装置であって、
イメージおよびオーディオプログラムからなるプレイリストを作成するように構成されているプレイリスト作成装置と、
電気的に前記プレイリスト作成装置へ接続され、イメージおよびオーディオプログラムの適合度を確認するように構成されている適合性チェッカとを具備している、前記装置。
【請求項２１】
前記プレイリストは、さらにキューを有している、請求項２０記載の装置。
【請求項２２】
前記プレイリストは、さらに埋め込まれたキューを有している、請求項２１記載の装置。
【請求項２３】
前記プレイリストは、さらにブラックスクリーンを有している、請求項２０記載の装置。
【請求項２４】
電気的に前記プレイリスト作成装置に接続され、特定の時間に特定の場所で上映するために確認されたプレイリストをスケジュールするように構成されているスケジューラをさらに具備している、請求項２０記載の装置。
【請求項２５】
前記プレイリスト作成装置は、シーケンサをさらに具備し、前記シーケンサは所定の上映順に選択されたプログラムを順序付けるように構成されている、請求項２０記載の装置。
【請求項２６】
各イメージプログラムは、関連するインジケータを有し、
前記適合度チェッカは、
格付けインジケータ、縦横比インジケータ、走査インジケータ、彩度サンプリングインジケータからなるグループからの少なくとも１つのインジケータを比較するように構成されている照合装置をさらに具備している、請求項２０記載の装置。
【請求項２７】
各オーディオプログラムは、関連するインジケータを有し、
前記適合度チェッカは、
言語インジケータ、オーディオフォーマットインジケータ、格付けインジケータからなるグループからの少なくとも１つのインジケータを比較するように構成されている照合装置をさらに具備している、請求項２０記載の装置。
【請求項２８】
各イメージプログラムは、プロジェクタレンズインジケータを有し、
前記適合度チェッカは、
各イメージプログラムのプロジェクタレンズインジケータを比較するように構成された照合装置をさらに具備している、請求項２０記載の装置。
【手続補正２】
【補正対象書類名】明細書
【補正対象項目名】発明の名称
【補正方法】変更
【補正の内容】
【発明の名称】プレイリストを作成する方法、および装置
【手続補正３】
【補正対象書類名】明細書
【補正対象項目名】０００２
【補正方法】変更
【補正の内容】
【０００２】
伝統的な映画産業では、劇場のオペレータはスタジオからまたは分配業者を通じて劇場の劇場建物でイベントの上映のためのセルロイドフィルムのリールを受取る。フィルムのリールは主要プログラム（省略なしの動画）と、しばしば予告編と呼ばれる複数の予告および他の広告を含んでいる。劇場のオペレータはまた時にはローカルな宣伝および広告物を含んでいる幾つかのその固有の予告編を上映することを必要とされ、或いはその選択を行う。
【手続補正４】
【補正対象書類名】明細書
【補正対象項目名】０００３
【補正方法】変更
【補正の内容】
【０００３】
上映では、劇場のオペレータは“レコード”またはプレイリストを作成する。これは上映される順序にセルロイドフィルムのリールを順序付け、プロジェクタにより再生されるように物理的にフィルムを共につなげることを含んでいる。予告編と予告編の間または予告編と作品との間に、“ブラックスクリーン”を表示することが所望されるときもある。ブラックスクリーンは数秒のブランク（空白の）フィルムであり、異なる予告編または作品との間の移行（遷移）または幾分の劇的な効果のようなものを与える。ブラックスクリーンを作成するために、劇場のオペレータは予告編が共につながれる方法と同様の方法でブラックフィルムを所望の領域へ物理的につなぎ合わせる。
【手続補正５】
【補正対象書類名】明細書
【補正対象項目名】００１４
【補正方法】変更
【補正の内容】
【００１４】
別の実施形態では、キュー（ｃｕｅ）、埋設された（ｅｍｂｅｄｅｄ：埋め込まれた、組み込まれた）キュー、ブラックスクリーン等の挿入物はプレイリストに挿入され、順序を付けられる。さらに別の１実施形態では、オーディオプログラムの選択はオーディオプログラムのサブセットに限定され、ここではオーディオプログラムの各サブセットは選択された各イメージプログラムに基づいている。
【手続補正６】
【補正対象書類名】明細書
【補正対象項目名】００３４
【補正方法】変更
【補正の内容】
【００３４】
ユーザはまたステップ324 でリストを提供される。図８に関してさらに詳細に説明されている１実施形態では、別々の“キュー（ｃｕｅ）のプロパティ”ウィンドウが示されている。ステップ328 でキューが選択されるとき、プレイリストは劇場建物の環境を制御するために既存の劇場自動システムへ信号を送信するための実行可能なコマンドを予め定められた時間で保存する。制御されるアスペクトには劇場の照明のオンまたはオフ切換え、カーテンの開閉、またはマスキングの調節が含まれている。マスキングはスクリーンのフレームを定めるスクリーンの各側面上の短いカーテンのことであり、それによって投影されるイメージは適格にマスキング内のスクリーンに適合する。キューはまたプロジェクタのタイプまたはプロジェクタレンズを指す。現在、プロジェクタは平面レンズからスコープレンズへ変化されることのできる多数のレンズを有する。キューはまた使用されるオーディオシステムのタイプを制御する。別の実施形態では、発生されるキューは多数のタイプの劇場の劇場建物システムを制御する。
【手続補正７】
【補正対象書類名】明細書
【補正対象項目名】００４２
【補正方法】変更
【補正の内容】
【００４２】
図４はイメージプログラム400 のリストを表示するウィンドウを示している。１実施形態では、プログラムのリストは名称フィールド404 、継続時間フィールド408 、格付けフィールド412 を具備している。当業者は縦横比または作品、予告編または広告等のイメージプログラム等のタイプの指示のようなプログラム属性に関する付加的なフィールドもリストされてもよいことを認識するであろう。ディスプレイはプログラムが選択されているか否かを示すインジケータフィールド416 も有する。名称フィールド404 はイメージプログラムの名称、随意的に記述参照を与える。継続時間フィールド408 はイメージプログラムが正常の動作速度で示されるために必要な時間の長さを示している。オーディオプログラムが存在する必要なくまたはイメージプログラムと共に再生される必要のないことに注意されるべきである。
【手続補正８】
【補正対象書類名】明細書
【補正対象項目名】００４８
【補正方法】変更
【補正の内容】
【００４８】
図６は異なる管轄（地域）におけるプログラムの格付けインジケータを示す付加的な格付けフィールド608 を示している。したがって、劇場のオペレータは所定のプログラムの格付けを選択し、それにより管轄（地域）に基づいて格付け適合機能を行う。
【手続補正９】
【補正対象書類名】明細書
【補正対象項目名】００５４
【補正方法】変更
【補正の内容】
【００５４】
図９はオフセットキューの挿入の選択または作成のディスプレイスクリーン900 を示している。１実施形態では、オフセットキューアイコン904 を選択するとき、オフセットキュー挿入用のキュープロパティウィンドウ908 が開始される。オフセットキューウィンドウ908 はキュー記述フィールド912 、インボードキュー916 、中央キュー920 、アウトボードキュー924 を含む複数のフィールドからなる。キュープロパティウィンドウ908はオフセットキューの挿入がトリガーされる基準点928 をユーザが選択することも可能にする。１実施形態では、マイルストーンは基準点のリストとして使用される。基準点は例えば図９で示されているようにプログラムの開始点である。ユーザはその後、なし、前または後としてタイムオフセット932 を選択し、キューがオフセットされる分・秒フィールド936 に分および秒数を入力する。